(57)【要約】【課題】本発明は、プラズマディスプレイ装置及びプラズマディスプレイ装置の駆動方法を提供する。【解決手段】一実施形態によると、プラズマディスプレイ装置はサブフィールドを少なくともアドレス期間と維持期間とに分割して駆動される。前記装置は、少なくとも一つのアドレス電極に係ったデータパターンによって維持期間の長さを変化させるためのタイミングコントロール部を備える。【選択図】図６
2006146148.tif 000002
【特許請求の範囲】
【請求項１】
サブフィールドを少なくともアドレス期間と維持期間とに分割して駆動されるプラズマディスプレイ装置において、
少なくとも一つのアドレス期間に係ったデータパターンによって維持期間の長さを変化させるタイミングコントロール部を備えることを特徴とする、プラズマディスプレイ装置。
【請求項２】
前記タイミングコントロール部は、最後の維持パルスの開始時点から次のサブフィールドのリセット期間までの長さを変化させることによって維持期間の長さを変化させることを特徴とする、請求項１に記載のプラズマディスプレイ装置。
【請求項３】
前記最後の維持パルスの開始時点から次のサブフィールドのリセット期間までの長さは、前記維持期間における最後の維持パルスの供給期間を変化させることによって変化されることを特徴とする、請求項２に記載のプラズマディスプレイ装置。
【請求項４】
前記最後の維持パルスの供給期間は、１μｓ以上１ｍｓ以下の範囲で変化されることを特徴とする、請求項３に記載のプラズマディスプレイ装置。
【請求項５】
前記最後の維持パルスの開始時点から次のサブフィールドのリセット期間までの長さは、維持期間の最後の維持パルスのグラウンド期間を変化させることによって変化されることを特徴とする、請求項２に記載のプラズマディスプレイ装置。
【請求項６】
前記最後の維持パルスのグラウンド期間は、１００μｓ以上１ｍｓ以下の範囲で変化されることを特徴とする、請求項５に記載のプラズマディスプレイ装置。
【請求項７】
前記タイミングコントロール部によって制御されるプラズマディスプレイパネルをさらに備えることを特徴とする、請求項１に記載のプラズマディスプレイ装置。
【請求項８】
前記データパターンを検出するための検出部をさらに備えることを特徴とする、請求項１に記載のプラズマディスプレイ装置。
【請求項９】
サブフィールドを少なくともアドレス期間と維持期間とに分割して駆動されるプラズマディスプレイ装置において、
アドレス電極のスイッチング負荷の量によって維持期間の長さを調整するためのタイミングコントロール部を備えることを特徴とする、プラズマディスプレイ装置。
【請求項１０】
前記タイミングコントロール部は、最後の維持期間の開始時点から次のサブフィールドのリセット期間までの長さを変化させることによって維持期間の長さを変化させることを特徴とする、請求項９に記載のプラズマディスプレイ装置。
【請求項１１】
前記最後の維持パルスの開始時点から次のサブフィールドのリセット期間までの長さは、前記維持期間における最後の維持パルスの供給期間を変化させることによって変化されることを特徴とする、請求項１０に記載のプラズマディスプレイ装置。
【請求項１２】
前記最後の維持パルスの供給期間は、１μｓ以上１ｍｓ以下の範囲で変化されることを特徴とする、請求項１１に記載のプラズマディスプレイ装置。
【請求項１３】
前記最後の維持パルスの開始時点から次のサブフィールドのリセット期間までの長さは、維持期間の最後の維持パルスのグラウンド期間を変化させることによって変化されることを特徴とする、請求項１０に記載のプラズマディスプレイ装置。
【請求項１４】
前記最後の維持パルスのグラウンド期間は、１００μｓ以上１ｍｓ以下の範囲で変化されることを特徴とする、請求項１３に記載のプラズマディスプレイ装置。
【請求項１５】
前記タイミングコントロール部によって制御されるプラズマディスプレイパネルをさらに備えることを特徴とする、請求項９に記載のプラズマディスプレイ装置。
【請求項１６】
前記スイッチング負荷の量を検出するための検出部をさらに備えることを特徴とする、請求項９に記載のプラズマディスプレイ装置。
【請求項１７】
サブフィールドを少なくともアドレス期間と維持期間とに分割して駆動されるプラズマディスプレイ装置において、
アドレス期間の間、データ電圧の降下量によって前記維持期間の長さを調整するためのタイミングコントロール部を備えることを特徴とする、プラズマディスプレイ装置。
【請求項１８】
前記タイミングコントロール部は、最後の維持期間の開始時点から次のサブフィールドのリセット期間までの長さを変化させることによって維持期間の長さを変化させることを特徴とする、請求項１７に記載のプラズマディスプレイ装置。
【請求項１９】
前記最後の維持パルスの開始時点から次のサブフィールドのリセット期間までの長さは、前記維持期間における最後の維持パルスの供給期間を変化させることによって変化されることを特徴とする、請求項１８に記載のプラズマディスプレイ装置。
【請求項２０】
前記最後の維持パルスの供給期間は、１μｓ以上１ｍｓ以下の範囲で変化されることを特徴とする、請求項１９に記載のプラズマディスプレイ装置。
【請求項２１】
前記最後の維持パルスの開始時点から次のサブフィールドのリセット期間までの長さは、維持期間の最後の維持パルスのグラウンド期間を変化させることによって変化されることを特徴とする、請求項１８に記載のプラズマディスプレイ装置。
【請求項２２】
前記最後の維持パルスのグラウンド期間は、１００μｓ以上１ｍｓ以下の範囲で変化されることを特徴とする、請求項２１に記載のプラズマディスプレイ装置。
【請求項２３】
前記タイミングコントロール部によって制御されるプラズマディスプレイパネルをさらに備えることを特徴とする、請求項１７に記載のプラズマディスプレイ装置。
【請求項２４】
前記アドレス期間の間、データ電圧降下量を検出するための検出部をさらに備えることを特徴とする、請求項１７に記載のプラズマディスプレイ装置。
【請求項２５】
サブフィールドを少なくともアドレス期間と維持期間とに分割して駆動されるプラズマディスプレイ装置駆動方法において、
少なくとも一つのアドレス電極に係ったデータパターンによって維持期間の長さを変化させる段階を含むことを特徴とする、プラズマディスプレイ装置駆動方法。
【請求項２６】
サブフィールドを少なくともアドレス期間と維持期間とに分割して駆動されるプラズマディスプレイ装置駆動方法において、
アドレス期間のスイッチング負荷の量によって前記維持期間の長さを変化させる段階を含むことを特徴とする、プラズマディスプレイ装置駆動方法。
【請求項２７】
サブフィールドを少なくともアドレス期間と維持期間とに分割して駆動されるプラズマディスプレイ装置駆動方法において、
前記アドレス期間中、データ電圧降下量によって前記維持期間の長さを変化させる段階を含むことを特徴とする、プラズマディスプレイ装置駆動方法。
【発明の詳細な説明】
【技術分野】
【０００１】
本発明は、プラズマディスプレイパネル（ＰＤＰ）駆動装置及び駆動方法に関し、より具体的には、アドレス放電時に現われるデータ電圧降下成分を回復するために駆動装置を含み、駆動方法を利用するＰＤＰに関する。
【背景技術】
【０００２】
プラズマディスプレイパネル「ＰＤＰ」は、Ｈｅ＋Ｘｅ、Ｎｅ＋Ｘｅ又はＨｅ＋Ｎｅ＋Ｘｅ等の不活性混合ガスの放電時に発生する１４７nmの紫外線によって蛍光体を発光させることによって、文字又はグラフィックを含んだ画像を表示する。
【０００３】
図１は、背景技術による３電極交流面放電型ＰＤＰの構造を示す斜視図である。図１を参照すれば、３電極交流面放電型ＰＤＰは、上部基板１０上に形成された走査／維持電極１１ａと共通維持電極１２ａ、下部基板２０上に形成されたアドレス電極２２とを備える。走査／維持電極１１ａと共通維持電極１２ａのそれぞれは、透明材料、例えば、インジウム・ティン・オキサイド（Ｉｎｄｉｕｍ−Ｔｉｎ−Ｏｘｉｄｅ：ＩＴＯ）で形成される。走査／維持電極１１ａと共通維持電極１２ａのそれぞれには、抵抗を減らすための金属バス電極１１ｂ、１２ｂが形成される。走査／維持電極１１ａと共通維持電極１２ａが形成された上部基板１０には、上部誘電体層１３ａと保護膜１４が積層される。上部誘電体層１３ａには、プラズマ放電時に発生された壁電荷が蓄積される。保護膜１４は、プラズマ放電時に発生されたスパッタリングによる上部誘電体層１３ａの損傷を防止するとともに、２次電子の放出効率を高める。保護膜１４としては、通常、酸化マグネシウム（ＭｇＯ）が利用される。
【０００４】
一方、アドレス電極２２が形成された下部基板２０上には、下部誘電体層１３ｂと隔壁２１が形成され、下部誘電体層１３ｂと隔壁２１の表面には蛍光体層２３が塗布される。アドレス電極２２は、走査／維持電極１１ａ及び共通維持電極１２ａと交差する方向に形成される。隔壁２１は、アドレス電極２２と並んで形成され、放電によって生成された紫外線及び可視光が隣接した放電セルに漏洩することを防止する。蛍光体層２３は、紫外線によって励起されて、Ｒ、Ｇ又は、Ｂの中の何れか一つの可視光線を発生するようになる。Ｈｅ＋Ｘｅ、Ｎｅ＋Ｘｅ又はＨｅ＋Ｎｅ＋Ｘｅ等の不活性混合ガスが放電のために放電セルの放電空間に注入される。放電空間は、上部基板及び下部基板１０、２０と隔壁２１との間に設けられる。上述したのように構成されたＰＤＰの画像階調を表現する方法を図２を参照して記述する。
【０００５】
図２は、従来のＰＤＰの画像階調を表現する方法を示した図面である。
【０００６】
図２に示したように、ＰＤＰの画像階調は、一フレームを発光回数の異なる複数のサブフィールドに分けて表示している。各サブフィールドは、放電を均一に起こすためのリセット期間と、放電セルを選択するためのアドレス期間と、放電回数によって階調を具現する維持期間とに分けられる。例えば、２５６階調で画像を表示しようとする場合には、１／６０秒に該当するフレーム期間（１６.６７ｍｓ）は、８個のサブフィールドに分けられる。同時に、８個のサブフィールドのそれぞれは、リセット期間と、アドレス期間と、維持期間とにさらに分けられる。ここで、リセット期間及びアドレス期間は、各サブフィールド毎に同一である反面、維持期間は、各サブフィールドにおいて２n（ｎ＝０、１、２、３、４、５、６、７）の割合で増加する。維持期間におけるこのような増加は、ＰＤＰの任意の信号／電圧特性に関係なく固定されて自動的に実施される。前記サブフィールドに分けられて駆動されるＰＤＰ駆動波形を、以下、図３を参照して説明する。
【０００７】
図３は、従来のＰＤＰの駆動方法を説明するための駆動波形を示した図面である。図３を察してみると、ＰＤＰは、サブフィールドを全画面を初期化させるための初期化／リセット期間と、セルを選択するためのアドレス期間と、選択されたセルの放電を維持させるための維持期間とに分けられて駆動される。
【０００８】
初期化期間において、セットアップ期間ＳＵには、全てのスキャン電極Ｙに上昇ランプ波形Ｒａｍｐ−ｕｐが同時に印加される。上昇ランプ波形によって全画面のセル内には放電が起きる。このセットアップ放電によってアドレス電極Ｘと維持電極Ｚ上には、正極性（＋）壁電荷が蓄積され、又、スキャン電極Ｙ上には、負極性（−）の壁電荷が蓄積される。上昇ランプ波形が供給された後、セットダウン（ｓｅｔｄｏｗｎ)期間ＳＤには、下降ランプ波形Ｒａｍｐ−ｄｏｗｎが供給されて微弱な消去放電を起こすことによって、過度に形成された壁電荷を一部消去させるようになる。下降ランプ波形Ｒａｍｐ−ｄｏｗｎは、上昇ランプ波形のピーク電圧より低い正極性電圧から落ち始めて、グラウンド電圧ＧＮＤ又は、負極性の特定電圧レベルまで落ちる。セットダウン放電によってセル内に壁電荷が均一に残留されて、アドレス放電が安定に起きることができるようになる。
【０００９】
アドレス期間には、負極性スキャンパルスｓｃａｎがスキャン電極Ｙに順次的に印加されるとともに、スキャンパルスに同期されてアドレス電極Ｘに正極性のデータパルスｄａｔａが印加される。このスキャンパルスとデータパルスとの電圧差と、初期化期間に生成された壁電圧とが加わりながら、データパルス(Ｄｐ)が印加されるセル内にはアドレス放電が発生される。アドレス放電によって選択されたセル内には、維持電圧が印加される時に放電が起きることができるようにする程の壁電荷が形成される。維持電極Ｚには、セットダウン期間とアドレス期間の間に、スキャン電極Ｙとの電圧差を減らすように正極性直流電圧Ｚｄｃが供給される。このようにすることによって、維持電極Ｚとスキャン電極Ｙとの間には誤放電が防止される。
【００１０】
維持期間には、スキャン電極Ｙと維持電極Ｚに交番的に維持パルスｓｕｓが印加される。アドレス放電によって選択されたセルでは、セル内の壁電圧と維持パルスが加わりながら、維持パルスが印加される度に、スキャン電極Ｙと維持電極Ｚとの間に維持放電（即ち、表示放電）が起きるようになる。
【００１１】
維持放電が完了した後には、パルス幅と電圧レベルが低いランプ波形Ｒａｍｐ−ｅｒｓが維持電極Ｚに供給されて、全画面のセル内に残留する壁電荷を消去させるようになる。
【００１２】
一方、このような方法で駆動される従来のＰＤＰは、アドレス期間においてスキャンパルスに同期されるようにアドレス／データ電極Ｘに正極性のデータパルスｄａｔａを印加してセルを放電させる時、放電セルの放電パターンによってデータパルスの電圧（即ち、データパルスとしてデータ電極Ｘに供給されたデータ電圧Ｖｄのレベル）が降下される。このような原因は、図４(ａ)乃至図５(ｂ)のように、放電セルの放電パターンによるデータ電極での長いスイッチング時間によって、データ電極Ｘのスイッチング負荷が増加するためである。放電パターンは、０と１で設定されたデータのパターンである。スイッチング時間とは、データ電極に供給されたデータでの０から１、又は１から０へのスイッチング回数である。
【００１３】
図４(ａ)乃至図５(ｂ)は、従来のＰＤＰの放電セルのパターンによって現われたデータ電圧の特性を示した図面である。
【００１４】
即ち、図４(ａ)及び図４(ｂ)は、データ電極の一ライン（例えば、Ｘ１）に属した放電セルが連続して放電する時、即ち、データパルス(Ｄｐ)、ｄａｔａを供給するためのスイッチング回数が少ない時、アドレス期間におけるデータ電圧Ｖｄの特性を示した図面である。
【００１５】
図５(ａ)及び図５(ｂ)は、データ電極の一ライン（例えば、Ｘ１）に属した放電セルが連続的でないように不規則的に放電する時、即ち、データパルス(Ｄｐ)を供給するためのスイッチング回数が多い時、アドレス期間におけるデータ電圧Ｖｄの特性を示したものである。
【００１６】
図４(ａ)に示したように、ＰＤＰがデータパルスを供給するためのスイッチング回数が少ない放電セルパターンを有する場合には、 図４(ｂ)に示したように、アドレス期間の間にデータ電極に供給される電圧Ｖｄは、殆ど電圧降下が起きない。一方、図５(ａ)に示したように、ＰＤＰがデータパルスを供給するためのスイッチング回数が多い放電セルパターンを有する場合には、図５(ｂ)のように、アドレス期間の間にデータ電極に供給される電圧Ｖｄは、電圧降下が顕著に起きる。このようなデータ電圧の降下によって、維持期間の間に充分に回復することができないまま、次のサブフィールドのアドレス期間において外部から供給される一定のデータ電圧だけでアドレス放電を充分に起こすことができない場合に、ジッタリング（Ｊｉｔｔｅｒｉｎｇ）現象によって誤放電が起きる問題を発生させる。
【００１７】
このような現象は、特に、シングルスキャン方式のＰＤＰの場合、非常に多く発生し、シングルスキャン方式を利用するＰＤＰにおいて、データ電極のライン長さが長くなることによって、スイッチング負荷が増加してデータ電極に対する電圧降下量が増加するようになる。又、ＰＤＰが高温で駆動される時にセル内の空間電荷の運動が活発になりながら、再結合が発生し易くなるため、壁電荷の損失によって誤放電が起き易くなる問題点がある。
【発明の開示】
【発明が解決しようとする課題】
【００１８】
本発明の課題は、少なくとも従来の技術における上記した問題点及びその他の問題点、そして欠点を解消することにある。
【００１９】
又、本発明の他の課題は、プラズマディスプレイパネル駆動時に維持期間が任意の特性によって変化されて、誤放電のない安定した放電特性を有するプラズマディスプレイパネル駆動装置及び方法を提供することにある。
【００２０】
本発明の又他の課題は、プラズマディスプレイパネルとそのプラズマディスプレイパネルを駆動する駆動部を含むプラズマディスプレイ装置を提供して、従来の技術に係った限界及び欠点を解消することにある。
【課題を解決するための手段】
【００２１】
上記した長所及び他の長所を達成するため、さらに具体化及び概括的に記述された本発明の目的によると、サブフィールドを少なくともアドレス期間と維持期間とに分割して駆動されるプラズマディスプレイ装置が提供され、前記装置は、少なくとも一つのアドレス期間に係ったデータパターンによって維持期間の長さを変化させるタイミングコントロール部を備える。
【００２２】
本発明の他の側面によると、サブフィールドを少なくともアドレス期間と維持期間とに分割して駆動されるプラズマディスプレイ装置が提供され、この装置は、アドレス電極のスイッチング負荷の量によって維持期間の長さを調整するためのタイミングコントロール部を備える。
【００２３】
本発明の又他の側面によると、サブフィールドを少なくともアドレス期間と維持期間とに分割して駆動されるプラズマディスプレイ装置が提供され、この装置は、アドレス期間の間のデータ電圧の降下量によって維持期間の長さを調整するためのタイミングコントロール部を備える。
【００２４】
本発明の又他の側面によると、サブフィールドを少なくともアドレス期間と維持期間とに分割して駆動されるプラズマディスプレイ装置駆動方法が提供され、この方法は少なくとも一つのアドレス期間に係ったデータパターンによって維持期間の長さを変化させる段階を含む。
【００２５】
本発明の他の側面によると、サブフィールドを少なくともアドレス期間と維持期間とに分割して駆動されるプラズマディスプレイ装置駆動方法が提供され、この方法はアドレス電極のスイッチング負荷の量によって維持期間の長さを変化させる段階を含む。
【００２６】
本発明の又他の側面によると、サブフィールドを少なくともアドレス期間と維持期間とに分割して駆動されるプラズマディスプレイ装置駆動方法が提供され、この方法はアドレス期間の間のデータ電圧の降下量によって維持期間の長さを変化させる段階を含む。
【００２７】
第１発明に係るプラズマディスプレイ装置は、サブフィールドを少なくともアドレス期間と維持期間とに分割して駆動されるプラズマディスプレイ装置において、少なくとも一つのアドレス期間に係ったデータパターンによって維持期間の長さを変化させるタイミングコントロール部を備えることを特徴とする。
【００２８】
第２発明に係るプラズマディスプレイ装置は、第１発明に係るプラズマディスプレイ装置に於いて、前記タイミングコントロール部は、最後の維持パルスの開始時点から次のサブフィールドのリセット期間までの長さを変化させることによって維持期間の長さを変化させることを特徴とする。
【００２９】
第３発明に係るプラズマディスプレイ装置は、第２発明に係るプラズマディスプレイ装置に於いて、前記最後の維持パルスの開始時点から次のサブフィールドのリセット期間までの長さは、前記維持期間における最後の維持パルスの供給期間を変化させることによって変化されることを特徴とする。
【００３０】
第４発明に係るプラズマディスプレイ装置は、第３発明に係るプラズマディスプレイ装置に於いて、前記最後の維持パルスの供給期間は、１μｓ以上１ｍｓ以下の範囲で変化されることを特徴とする。
【００３１】
第５発明に係るプラズマディスプレイ装置は、第２発明に係るプラズマディスプレイ装置に於いて、前記最後の維持パルスの開始時点から次のサブフィールドのリセット期間までの長さは、維持期間の最後の維持パルスのグラウンド期間を変化させることによって変化されることを特徴とする。
【００３２】
第６発明に係るプラズマディスプレイ装置は、第５発明に係るプラズマディスプレイ装置に於いて、前記最後の維持パルスのグラウンド期間は、１００μｓ以上１ｍｓ以下の範囲で変化されることを特徴とする。
【００３３】
第７発明に係るプラズマディスプレイ装置は、第１発明に係るプラズマディスプレイ装置に於いて、前記タイミングコントロール部によって制御されるプラズマディスプレイパネルをさらに備えることを特徴とする。
【００３４】
第８発明に係るプラズマディスプレイ装置は、第１発明に係るプラズマディスプレイ装置に於いて、前記データパターンを検出するための検出部をさらに備えることを特徴とする。
【００３５】
第９発明に係るプラズマディスプレイ装置は、サブフィールドを少なくともアドレス期間と維持期間とに分割して駆動されるプラズマディスプレイ装置において、アドレス電極のスイッチング負荷の量によって維持期間の長さを調整するためのタイミングコントロール部を備えることを特徴とする。
【００３６】
第１０発明に係るプラズマディスプレイ装置は、第９発明に係るプラズマディスプレイ装置に於いて、前記タイミングコントロール部は、最後の維持期間の開始時点から次のサブフィールドのリセット期間までの長さを変化させることによって維持期間の長さを変化させることを特徴とする。
【００３７】
第１１発明に係るプラズマディスプレイ装置は、第１０発明に係るプラズマディスプレイ装置に於いて、前記最後の維持パルスの開始時点から次のサブフィールドのリセット期間までの長さは、前記維持期間における最後の維持パルスの供給期間を変化させることによって変化されることを特徴とする。
【００３８】
第１２発明に係るプラズマディスプレイ装置は、第１１発明に係るプラズマディスプレイ装置に於いて、前記最後の維持パルスの供給期間は、１μｓ以上１ｍｓ以下の範囲で変化されることを特徴とする。
【００３９】
第１３発明に係るプラズマディスプレイ装置は、第１０発明に係るプラズマディスプレイ装置に於いて、前記最後の維持パルスの開始時点から次のサブフィールドのリセット期間までの長さは、維持期間の最後の維持パルスのグラウンド期間を変化させることによって変化されることを特徴とする。
【００４０】
第１４発明に係るプラズマディスプレイ装置は、第１３発明に係るプラズマディスプレイ装置に於いて、前記最後の維持パルスのグラウンド期間は、１００μｓ以上１ｍｓ以下の範囲で変化されることを特徴とする。
【００４１】
第１５発明に係るプラズマディスプレイ装置は、第９発明に係るプラズマディスプレイ装置に於いて、前記タイミングコントロール部によって制御されるプラズマディスプレイパネルをさらに備えることを特徴とする。
【００４２】
第１６発明に係るプラズマディスプレイ装置は、第９発明に係るプラズマディスプレイ装置に於いて、前記スイッチング負荷の量を検出するための検出部をさらに備えることを特徴とする。
【００４３】
第１７発明に係るプラズマディスプレイ装置は、サブフィールドを少なくともアドレス期間と維持期間とに分割して駆動されるプラズマディスプレイ装置において、アドレス期間の間、データ電圧の降下量によって前記維持期間の長さを調整するためのタイミングコントロール部を備えることを特徴とする。
【００４４】
第１８発明に係るプラズマディスプレイ装置は、第１７発明に係るプラズマディスプレイ装置に於いて、前記タイミングコントロール部は、最後の維持期間の開始時点から次のサブフィールドのリセット期間までの長さを変化させることによって維持期間の長さを変化させることを特徴とする。
【００４５】
第１９発明に係るプラズマディスプレイ装置は、第１８発明に係るプラズマディスプレイ装置に於いて、前記最後の維持パルスの開始時点から次のサブフィールドのリセット期間までの長さは、前記維持期間における最後の維持パルスの供給期間を変化させることによって変化されることを特徴とする。
【００４６】
第２０発明に係るプラズマディスプレイ装置は、第１９発明に係るプラズマディスプレイ装置に於いて、前記最後の維持パルスの供給期間は、１μｓ以上１ｍｓ以下の範囲で変化されることを特徴とする。
【００４７】
第２１発明に係るプラズマディスプレイ装置は、第１８発明に係るプラズマディスプレイ装置に於いて、前記最後の維持パルスの開始時点から次のサブフィールドのリセット期間までの長さは、維持期間の最後の維持パルスのグラウンド期間を変化させることによって変化されることを特徴とする。
【００４８】
第２２発明に係るプラズマディスプレイ装置は、第２１発明に係るプラズマディスプレイ装置に於いて、前記最後の維持パルスのグラウンド期間は、１００μｓ以上１ｍｓ以下の範囲で変化されることを特徴とする。
【００４９】
第２３発明に係るプラズマディスプレイ装置は、第１７発明に係るプラズマディスプレイ装置に於いて、前記タイミングコントロール部によって制御されるプラズマディスプレイパネルをさらに備えることを特徴とする。
【００５０】
第２４発明に係るプラズマディスプレイ装置は、第１７発明に係るプラズマディスプレイ装置に於いて、前記アドレス期間の間、データ電圧降下量を検出するための検出部をさらに備えることを特徴とする。
【００５１】
第２５発明に係るプラズマディスプレイ装置は、サブフィールドを少なくともアドレス期間と維持期間とに分割して駆動されるプラズマディスプレイ装置駆動方法において、少なくとも一つのアドレス電極に係ったデータパターンによって維持期間の長さを変化させる段階を含むことを特徴とする。
【００５２】
第２６発明に係るプラズマディスプレイ装置は、サブフィールドを少なくともアドレス期間と維持期間とに分割して駆動されるプラズマディスプレイ装置駆動方法において、アドレス期間のスイッチング負荷の量によって前記維持期間の長さを変化させる段階を含むことを特徴とする。
【００５３】
第２７発明に係るプラズマディスプレイ装置は、サブフィールドを少なくともアドレス期間と維持期間とに分割して駆動されるプラズマディスプレイ装置駆動方法において、前記アドレス期間中、データ電圧降下量によって前記維持期間の長さを変化させる段階を含むことを特徴とする。
【発明の効果】
【００５４】
本発明は、プラズマディスプレイパネル駆動時に維持期間にデータパルス電圧の回復期間を充分に与えて、放電セルの放電が消える誤放電無しに各サブフィールドにおいて安定した放電特性を有する効果がある。
【発明を実施するための最良の形態】
【００５５】
以下では、添付された図面を参照して、本発明の望ましい実施形態をより詳しく説明する。
【００５６】
図６(ａ)及び６(ｂ)は、本発明によるプラズマディスプレイパネルの駆動方法を説明するためのデータ電圧特性及び駆動波形を示した図である。
【００５７】
図６(ａ)及び図６(ｂ)を参照すれば、プラズマディスプレイパネルは、一フレームのそれぞれのサブフィールドが、全画面を初期化させるための初期化／リセット期間と、セルを選択するためのアドレス期間と、選択されたセルの放電を維持させるための維持期間とに分けられて駆動される。
【００５８】
リセット期間のセットアップ期間ＳＵには、全てのスキャン電極Ｙに上昇ランプ波形Ｒａｍｐ−ｕｐが同時に供給される。これと同時に、維持電極Ｚとアドレス電極Ｘには、０［Ｖ］が供給される。上昇ランプ波形Ｒａｍｐ−ｕｐによって全画面のセル内でスキャン電極Ｙとアドレス電極Ｘとの間と、スキャン電極Ｙと維持電極Ｚとの間には、光が殆ど発生しない書き込み暗放電（ｗｒｉｔｅ ｄａｒｋ ｄｉｓｃｈａｒｇｅ）が起きる。この書き込み暗放電によってアドレス電極Ｘと維持電極Ｚ上には、正極性（＋）の壁電荷が蓄積するようになる一方、スキャン電極Ｙ上には、負極性（−）の壁電荷が蓄積されるようになる。
【００５９】
上昇ランプ波形Ｒａｍｐ−ｕｐに続いて、セットダウン期間ＳＤには、下降ランプ波形Ｒａｍｐ−ｄｏｗｎがスキャン電極Ｙに同時に供給される。下降ランプ波形は、上昇ランプ波形Ｒａｍｐ−ｕｐのピーク電圧より低い正極性電圧から落ち始め、グラウンド電圧ＧＮＤ、又は、負極性の特定電圧レベルまで落ちる。これと同時に、維持電極Ｚには、パルス形態の維持電圧Ｖｓが供給され、又、アドレス電極Ｘには０［Ｖ］が供給される。このように下降ランプ波形Ｒａｍｐ−ｄｏｗｎが供給される時、スキャン電極Ｙと維持電極Ｚとの間に消去暗放電が起きる。このような消去暗放電によって書き込み暗放電時に発生された壁電荷の中でアドレス放電に不要の過度壁電荷が消去される。リセット期間における壁電荷分布の変化を察してみると、アドレス電極Ｘ上の壁電荷の変化は殆ど無く、スキャン電極Ｙ上で書き込み暗放電によって形成された負極性の壁電荷は、消去暗放電によって一部が減少される。
【００６０】
アドレス期間には、スキャンパルスＳｐがスキャン電極Ｙに順次的に供給されるとともに、スキャンパルスＳｐに同期されるデータパルス(Ｄｐ)がアドレス電極Ｘに供給される。スキャンパルスＳｐとデータパルス(Ｄｐ)との電圧差と、リセット期間に生成された壁電圧とが加わりながら、データパルス(Ｄｐ)が供給されるセル内にはアドレス放電が発生される。アドレス放電は、デュアルスキャン方式やシングルスキャン方式で実行されることができる。デュアルスキャン方式において、アドレス放電は、プラズマディスプレイパネルを上部と下部とに分けてそれぞれ独立的に起き、シングルスキャン方式において、アドレス放電は、プラズマディスプレイパネル全部（上部と下部）に対して一度に起きる。一方、アドレス期間の間に維持電極Ｚには、正極性の直流電圧Ｚｄｃが供給される。
【００６１】
維持期間には、スキャン電極Ｙと維持電極Ｚに交番的に維持電圧Ｖｓの維持パルスＳｕｓｐが供給される。アドレス放電によって選択されたセルは、セル内の壁電圧と維持パルスＳｕｓｐの電圧とが加わりながら、維持パルスＳｕｓｐが供給される度に、スキャン電極Ｙと維持電極Ｚとの間に維持放電（即ち、表示放電）が発生される。この時、維持期間は、アドレス電極Ｘに印加されたデータ電圧Ｖｄ降下量によってタイミングコントロール部（例えば、図７でタイミングコントロール部１２１）によって調節される。望ましくは、ＰＤＰ駆動装置のタイミングコントロール部は、データ電圧降下量が大きくなるにつれて、維持期間が長くなるように調節する。データ電圧降下量によって維持期間の長さを変化させることによって、本発明は、現在のサブフィールドのアドレス期間の間にデータ電圧降下を回復するように、現在のサブフィールドの維持期間の間に十分な時間を提供して、次のサブフィールドにおいて安定的な放電が起きることができる。
【００６２】
データ電圧降下は、様々な原因によって発生されることができるが、殆どスイッチング負荷の増加によって発生される。スイッチング負荷は、プラズマディスプレイパネルの全体セルの中、必要なセルにデータを記入する時にアドレス電極Ｘのスイッチング素子がオン（ｏｎ）あるいはオフ（ｏｆｆ）しながら発生される。従って、本発明は、スイッチング負荷量によって維持期間の長さを変化させる。
【００６３】
一方、維持期間の長さは、データ電圧降下量によって様々な方式で、例えば、維持期間に供給される複数個の維持パルスの中で、一番目の維持放電を起こす維持パルスの供給期間及びグラウンド維持期間、あるいは、それ以外の維持放電を起こす維持パルスの供給期間及びグラウンド維持期間を異なるようにして調節されることができる。しかし、実施形態によると、現在のサブフィールドの最後の維持パルスの開始時点から次のサブフィールドのリセット期間時点までの期間Ｓｗを異なるようにして調節することが望ましい。
【００６４】
ここで、現在のサブフィールドにおいて、スキャン電極Ｙに供給された最後の維持パルスの開始時点から次のサブフィールドのリセット期間時点までの期間Ｓｗは、１００μｓ以上１ｍｓ以下の範囲で調節されることができる。
【００６５】
期間Ｓｗは、供給期間ＳＷａと、グラウンド期間ＳＷｂとからなる。この時、最後の維持放電を起こすための維持パルスの供給期間ＳＷａは、維持放電を起こすことができる最小限の期間であれば十分であるため、少なくとも１μｓ以上である。ただ、最後の維持パルスの維持期間開始時点から次のサブフィールドのリセット期間時点までの制限された期間を考慮すれば、１ｍｓ未満の範囲で供給期間ＳＷａを調節することが望ましい。
【００６６】
一例において、図６(ａ)に示したように、このような維持パルスＳｕｓｐは、最後の維持パルスが以前に供給された維持パルスに比べて微細な幅の期間、又は同一の幅の期間に供給され、維持期間の残り期間の間は、グラウンドレベルＧＮＤで維持される維持波形を有することができる。この場合、維持期間の長さは、最後の維持パルスのグラウンド期間ＳＷｂの長さを調節して変化され、このようなグラウンド期間ＳＷｂの長さは、１００μｓ乃至１ｍｓ内、即ち１００μｓ以上１ｍｓ以下で可変されることができる。
【００６７】
他の例において、図６(ｂ)に示したように、維持パルスＳｕｓｐは、最後の維持パルスが次のサブフィールドのリセット期間時点まで維持電圧Ｖｓで維持される維持波形で現われるようになる。即ち、この場合、維持期間の長さは、最後の維持パルスの供給期間ＳＷａの長さを調節して変化され、このような供給期間ＳＷａの長さは、１μｓ乃至１ｍｓ内、即ち１μｓ以上１ｍｓ以下で可変されることができる。
【００６８】
最後の維持パルスの開始時点から次のサブフィールドのリセット期間時点までの期間ＳＷを１００μｓ以上１ｍｓ以下の範囲で調節する理由は、次のようである。特に、１００μｓ以上の下限臨界値は、プラズマディスプレイパネル駆動時にアドレス期間において降下されたデータ電圧を次のサブフィールドのアドレス期間の前まで充分に回復することができるようにするためのことである。又、１ｍｓ以下の上限臨界値は、プラズマディスプレイパネル駆動時に維持期間の動作マージンを確保するためである。
【００６９】
このように、データ電圧降下量によって維持期間を調節する本発明によるプラズマディスプレイパネルの駆動方法は、複数のサブフィールドの組合によって駆動されるプラズマディスプレイパネルにおいて、何れか一つのサブフィールドだけに適用して調節することができる。例えば、本発明のプラズマディスプレイパネル駆動方法は、データ電圧降下量によって少なくとも何れか一つ以上のサブフィールドに適用して調節することができる。
【００７０】
従って、本発明は、アドレス期間のデータ電圧降下量が維持期間において充分に回復して、誤放電のような現象を抑制することによって、次のサブフィールドのアドレス期間においてデータを記入するための記入放電時に放電セルが消えることを防止することができる。これによって、全てのサブフィールドにおいて安定的な放電を行うことができる。
【００７１】
図７は、本発明の一実施形態による駆動装置を備えたプラズマディスプレイパネルを示す。本発明による駆動方法は、図７の装置、又はその他の装置で実現することができる。
【００７２】
図７を参照すれば、本発明のプラズマディスプレイパネルの駆動装置は、パネルのアドレス電極Ｘ１〜Ｘｍにデータを供給するためのデータ駆動部１２２と、スキャン電極Ｙ１〜Ｙｎを駆動するためのスキャン駆動部１２３と、共通電極の維持電極Ｚを駆動するための維持駆動部１２４と、データ駆動部１２２、スキャン駆動部１２３及び維持駆動部１２４を制御するためのタイミングコントロール部１２１と、それぞれの駆動部１２２、１２３、１２４に必要な駆動電圧を供給するための駆動電圧発生部１２５とを含む。駆動装置を含んだＰＤＰの全ての部品は、機能的、動作可能に結合される。
【００７３】
映像データが逆ガンマ補正及び誤差拡散のために外部から逆ガンマ補正部（示さない）及び誤差拡散部（示さない）に入力される。このような過程は、公知されている。その後に入力された映像データは、サブフィールドマッピング部１２０によって各サブフィールドにマッピングされる。サブフィールドマッピング部１２０は、マッピングされたデータをデータ駆動部１２２とタイミングコントロール部１２１に供給する。データ駆動部１２２は、タイミングコントロール部１２１からのタイミング制御信号ＣＴＲＸに応答して受信されたデータをサンプリングしてラッチした後、そのラッチされたデータをアドレス電極Ｘ１〜Ｘｍに供給する。
【００７４】
スキャン駆動部１２３は、タイミングコントロール部１２１の制御下にリセット期間の間に上昇ランプ波形Ｒａｍｐ−ｕｐと下降ランプ波形Ｒａｍｐ−ｄｏｗｎをスキャン電極Ｙ１〜Ｙｎに供給する。又、スキャン駆動部１２３は、タイミングコントロール部１２１の制御下にアドレス期間の間にスキャン電圧ＶｙのスキャンパルスＳｐをスキャン電極Ｙ１〜Ｙｎに順次的に供給する。スキャン駆動部１２３は、維持期間の間にタイミングコントロール部１２１で決まったデータ電極の電圧降下量によって調節される維持電圧Ｖｓの維持パルスＳｕｓｐをスキャン電極Ｙ１〜Ｙｎに供給する。
【００７５】
維持駆動部１２４は、タイミングコントロール部１２１の制御下にアドレス期間と下降ランプ波形Ｒａｍｐ−ｄｏｗｎが発生される期間の間に、維持電圧Ｖｓのバイアス電圧を維持電極Ｚに供給するように制御される。又、維持駆動部１２４は、維持期間の間にスキャン駆動部１２３と交互に動作して維持パルスＳｕｓｐを維持電極Ｚに供給する。又、維持駆動部１２４は、一つのサブフィールドにおいて最後の維持放電が終わる場合、消去ランプ波形ＶＲａｍｐ−ｅｒｓを維持電極Ｚに供給することもできる。
【００７６】
タイミングコントロール部１２１は、垂直及び水平同期信号とクロック信号を入力受けて、各駆動部１２２、１２３、１２４を制御するためのタイミング制御信号ＣＴＲＸ、ＣＴＲＹ、ＣＴＲＺを発生し、各駆動部１２２、１２３、１２４の動作を制御するようにタイミング制御信号ＣＴＲＸ、ＣＴＲＹ、ＣＴＲＺを該当する各駆動部１２２、１２３、１２４）に供給する。タイミングコントロール部１２１は、検出部１２１ａを含むが、この検出部１２１ａは、タイミングコントロール部１２１と分離することができる。例えば、検出部１２１ａは、独立された個体になったり、又は、装置、例えば、データ駆動部１２２内の他の素子の一部になることもできる。
【００７７】
一例において、検出部１２１ａは、サブフィールドマッピング部１２０で各サブフィールド別に割り当てられたデータを利用してアドレス期間のプラズマ放電で現われるデータ電圧降下量を検出する。
【００７８】
前記データ電圧の降下は、例えば、データ／アドレス電極でのデータ電圧を検査することによって検出されることができる。データ電圧降下が増加すると、維持期間の期間Ｓｗを増加する。
【００７９】
他の例において、検出部１２１ａは、例えばデータ電極に供給されたデータによって０と１のスイッチング回数を検出することによって、スイッチング負荷量を検出することができる。スイッチング回数が増えるにつれて、期間Ｓｗを長くする。
【００８０】
他の例において、検出部１２１ａは、データ電極に供給されるデータのデータパターンを検出することができる。データパターンを検出することによって、データパターンでの０と１の間のスイッチング回数を検出することができ、スイッチング回数が増えるにつれて、期間Ｓｗも長くなる。
【００８１】
タイミングコントロール部１２１は、検出部１２１ａで検出されたデータ電圧降下量（又は、スイッチング負荷、又はデータパターン）に対応する制御信号を生成して、スキャン駆動部１２３に供給する。スイッチング負荷は、放電セルの放電パターンによって発生され、このような放電パターンは、データ駆動部１２２に入力されたデータのパターン（データパターン）によって決まる。
【００８２】
又、検出部１２１ａによる検出に対応する制御信号は、維持期間の長さを制御するに、望ましくは、最後の維持パルスの維持期間開始時点から次のサブフィールドのリセット期間の開始時点までの期間を制御する。
【００８３】
検出部１２１ａによって検出された検出結果に対応する制御信号、例えば、最後の維持パルスの維持期間開始時点から次のサブフィールドのリセット期間時点までの期間ＳＷを制御する信号によって、この期間が制御、例えば、データ電圧降下量が増加することによって、タイミングコントロール部１２１によって長く調節される。この時、最後の維持パルスの維持期間開始時点から次のサブフィールドのリセット期間時点までの期間ＳＷは、１００μｓ以上１ｍｓ以下の範囲で調節されることができる。
【００８４】
上述したように、最後の維持パルスの維持期間開始時点から次のサブフィールドのリセット期間時点までの期間ＳＷを１００μｓ以上１ｍｓ以下の範囲で調節する理由は、上述したようである。即ち、１００μｓ以上の下限臨界値は、プラズマディスプレイパネル駆動時にアドレス期間において降下されたデータ電圧を次のサブフィールドのアドレス期間の前まで充分に回復することができるようにするためのことであり、１μｓ以下の上限臨界値は、プラズマディスプレイパネル駆動時に維持期間の動作マージンを確保するためである。
【００８５】
最後の維持パルスの維持期間開始時点から次のサブフィールドのリセット期間時点までの期間ＳＷにおいて、最後の維持放電を起こすための維持パルスの供給期間ＳＷａは、維持放電を起こすことができる最小限の期間であれば十分であるため、少なくとも１μｓ以上である。ただ、最後の維持パルスの維持期間開始時点から次のサブフィールドのリセット期間時点までの制限された期間を考慮すると、１ｍｓ未満の範囲で供給期間を調節することが望ましい。
【００８６】
このように、データ電圧降下量（又は、スイッチング負荷、又は、データパターン）によって維持期間を調節する本発明によるプラズマディスプレイパネルの駆動方法が、シングルスキャン方式でアドレス放電を起こすプラズマディスプレイパネルに適用する時に、データ電圧回復効率が非常に高くなる。又、本発明のプラズマディスプレイパネルの駆動方法は、複数のサブフィールドの組合によって駆動されるプラズマディスプレイパネルにおいて、何れか一つのサブフィールドだけに適用して検出部１２１ａの検出によって維持期間を調節することができる。しかし、本発明のプラズマディスプレイパネル駆動方法は、複数のサブフィールドの全体に適用したり、少なくとも何れか一つ以上のサブフィールドに適用して、検出部１２１ａの検出によって維持期間（即ち、データ電圧降下量、スイッチング負荷、又はデータパターン）を調節することができる。本発明の駆動方法は、少なくとも何れか一つ以上のサブフィールドに適用して、維持期間を調節することができる。特に、本発明の方法は、アドレス期間時に現われるジッタリング（Ｊｉｔｔｅｒｉｎｇ）現象と維持駆動マージンを考慮すると、８個以上のサブフィールドを成して駆動されるプラズマディスプレイパネルにおいて、初期段階のサブフィールドＳＦ１、ＳＦ２、ＳＦ３だけに適用されて、維持期間を調節することが望ましい。
【００８７】
一方、タイミングコントロール部１２１によって制御される信号の中で、データ制御信号ＣＴＲＸは、データをサンプリングするためのサンプリングクロック、ラッチ制御信号、及びエネルギー回収回路と駆動スイッチ素子のオン、オフタイムを制御するためのスイッチ制御信号を含む。
【００８８】
スキャン制御信号ＣＴＲＹには、スキャン駆動部１２３内のエネルギー回収回路と駆動スイッチ素子のオン、オフタイムを制御するためのスイッチ制御信号が含まれる。
【００８９】
維持制御信号ＣＴＲＺには、維持駆動部１２４内のエネルギー回収回路と駆動スイッチ素子のオン、オフタイムを制御するためのスイッチ制御信号が含まれる。
【００９０】
駆動電圧発生部１２５は、セットアップ電圧Ｖｓｅｔｕｐ、スキャン共通電圧Ｖｓｃａｎ−ｃｏｍ、スキャン電圧−Ｖｙ、維持電圧Ｖｓ、及びデータ電圧Ｖｄ等を発生する。これらの駆動電圧は、放電ガスの組成や放電セル構造によって変わることができる。
【図面の簡単な説明】
【００９１】
【図１】図１は、背景技術による３電極交流面放電型プラズマディスプレイパネル（ＰＤＰ）の構造を示した斜視図である。
【図２】図２は、従来のプラズマディスプレイパネルの画像階調を表現する方法を示した図である。
【図３】図３は、従来のプラズマディスプレイパネルの駆動方法を説明するための駆動波形を示した図である。
【図４】図４(ａ)及び４(ｂ)は、従来のプラズマディスプレイパネルの放電セルの放電パターンによって現われたデータ電圧の特性を示した図である。
【図５】図５(ａ)及び５(ｂ)は、従来のプラズマディスプレイパネルの放電セルの放電パターンによって現われたデータ電圧の特性を示した図である。
【図６】図６(ａ)及び６(ｂ)は、本発明によるプラズマディスプレイパネルの駆動方法を説明するためのデータ電圧特性及び駆動波形を示した図である。
【図７】図７は、本発明によるプラズマディスプレイパネルの駆動装置を示した図である。
【図１】
2006146148.tif 000003
【図２】
2006146148.tif 000004
【図３】
2006146148.tif 000005
【図４】
2006146148.tif 000006
【図５】
2006146148.tif 000007
【図６】
2006146148.tif 000008
【図７】
2006146148.tif 000009